【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
ワイヤレス通信において圧縮モード送信ギャップを提供する方法であって、
第1の圧縮間隔の間、あるスロットフォーマットおよびある拡散率を有するダウンリンク専用物理チャネル(DPCH)を受信するステップであって、前記ダウンリンクDPCHが、前記第1の圧縮間隔の間、圧縮モード送信ギャップを含まない、ステップと、
第2の圧縮間隔の間、前記第1の圧縮間隔の間と同じスロットフォーマットおよび同じ拡散率を有する前記ダウンリンクDPCHを受信するステップと、
前記ダウンリンクDPCHが、前記第2の圧縮間隔の間、圧縮モード送信ギャップを含むことを決定するステップであって、前記ダウンリンクDPCHは前記スロットの全てにマップされるが、前記送信ギャップの間のスロットが、送信されないことまたは低減した電力またはゼロ電力で送信されることでパンクチャされる、ステップと、
前記第2の圧縮間隔の間に受信されたパンクチャされていない1組の残りのスロットに基づいて、前記第2の圧縮間隔の前記ダウンリンクDPCHを復号するステップと
を含む方法。
【請求項２】
前記第2の圧縮間隔の間に受信された前記ダウンリンクDPCHに基づいてダウンリンク信号対干渉比(SIR)を推定するステップと、
前記推定されたダウンリンクSIRを調整されたSIRターゲットと比較するステップであって、前記調整されたSIRターゲットが、前記第2の圧縮間隔が圧縮モード送信ギャップを含むことの前記決定に基づいて増加される、ステップと、
前記推定されたダウンリンクSIRが前記調整されたSIRターゲットを満たすかどうかに基づいてアップリンクTPCコマンドを生成するステップと
をさらに含む、請求項1に記載の方法。
【請求項３】
前記スロットフォーマットがパイロット信号を含まず、TPCコマンドがスロットの終わりにあり、前記ダウンリンクSIRを推定するステップが、前記送信ギャップの最後のスロットにおいて受信された固定値を有する前記TPCコマンドに基づいて、前記ダウンリンクSIRを推定するステップを含む、請求項2に記載の方法。
【請求項４】
前記調整されたSIRターゲットが、10ミリ秒のDPCH送信のために構成されたSIRターゲットと同じである、請求項2に記載の方法。
【請求項５】
前記第1の圧縮間隔の間、前記拡散率を使用した前記スロットフォーマットを有する前記ダウンリンクDPCHを受信するステップが、前記第1の圧縮間隔の最初の10msフレームにおけるスロットに基づいて、前記ダウンリンクDPCHを復号するステップを含む、請求項1に記載の方法。
【請求項６】
前記ダウンリンクDPCHが、アップリンクDPCH送信モードに関係なく、前記第2の圧縮間隔において20ミリ秒の送信を使用する、請求項1に記載の方法。
【請求項７】
前記受信されたダウンリンクDPCHスロットに基づいて前記第2の圧縮間隔の終わる前の前記第2の圧縮間隔の前記ダウンリンクDPCHを正常に復号するステップと、
前記ダウンリンクDPCHが前記第2の圧縮間隔の間に正常に復号された旨の肯定応答を送信するステップと
をさらに含む、請求項1に記載の方法。
【請求項８】
圧縮モード構成を受信するステップをさらに含み、前記圧縮モード構成が、2つの連続する圧縮間隔における送信ギャップにおけるスロットの総数が15以下であるように、送信ギャップ長および送信ギャップ距離を設定する、請求項1に記載の方法。
【請求項９】
前記DPCHの有効なコーディングレートがしきい値を超えると、前記第2の圧縮間隔における前記DPCHが、ブーストされた電力で送信される、請求項1に記載の方法。
【請求項１０】
ワイヤレス通信において圧縮モード送信ギャップを提供するための装置であって、
第1の圧縮間隔の間、あるスロットフォーマットおよびある拡散率を有するダウンリンク専用物理チャネル(DPCH)を受信するための手段であって、前記ダウンリンクDPCHが、前記第1の圧縮間隔の間、圧縮モード送信ギャップを含まない、手段と、
第2の圧縮間隔の間、前記第1の圧縮間隔の間と同じスロットフォーマットおよび同じ拡散率を有する前記ダウンリンクDPCHを受信するための手段と、
前記ダウンリンクDPCHが、前記第2の圧縮間隔の間、圧縮モード送信ギャップを含むことを決定するための手段であって、前記ダウンリンクDPCHは前記スロットの全てにマップされるが、前記送信ギャップの間のスロットが、送信されないことまたは低減した電力またはゼロ電力で送信されることでパンクチャされる、手段と、
前記第2の圧縮間隔の間に受信されたパンクチャされていない11組の残りのスロットに基づいて、前記第2の圧縮間隔の前記ダウンリンクDPCHを復号するための手段と
を含む装置。
【請求項１１】
前記第2の圧縮間隔の間に受信された前記ダウンリンクDPCHに基づいてダウンリンク信号対干渉比(SIR)を推定するための手段と、
前記推定されたダウンリンクSIRを調整されたSIRターゲットと比較するための手段であって、前記調整されたSIRターゲットが、前記第2の圧縮間隔が圧縮モード送信ギャップを含むことの前記決定に基づいて増加される、手段と、
前記推定されたダウンリンクSIRが前記調整されたSIRターゲットを満たすかどうかに基づいてアップリンクTPCコマンドを生成するための手段と
をさらに含む、請求項10に記載の装置。
【請求項１２】
コンピュータ実行可能コードを記憶しているコンピュータ可読記憶媒体であって、
第1の圧縮間隔の間、あるスロットフォーマットおよびある拡散率を有するダウンリンク専用物理チャネル(DPCH)を受信するためのコードであって、前記ダウンリンクDPCHが、前記第1の圧縮間隔の間、圧縮モード送信ギャップを含まない、コードと、
第2の圧縮間隔の間、前記第1の圧縮間隔の間と同じスロットフォーマットおよび同じ拡散率を有する前記ダウンリンクDPCHを受信するためのコードと、
前記ダウンリンクDPCHが、前記第2の圧縮間隔の間、圧縮モード送信ギャップを含むことを決定するためのコードであって、前記ダウンリンクDPCHは前記スロットの全てにマップされるが、前記送信ギャップの間のスロットが、送信されないことまたは低減した電力またはゼロ電力で送信されることでパンクチャされる、コードと、
前記第2の圧縮間隔の間に受信されたパンクチャされていない1組の残りのスロットに基づいて、前記第2の圧縮間隔の前記ダウンリンクDPCHを復号するためのコードと
を含む、コンピュータ可読記憶媒体。
【請求項１３】
ワイヤレス通信において圧縮モード送信ギャップを提供する装置であって、
第1の圧縮間隔の間、あるスロットフォーマットおよびある拡散率を有するダウンリンク専用物理チャネル(DPCH)を送信するための手段であって、前記ダウンリンクDPCHが、前記第1の圧縮間隔の間、圧縮モード送信ギャップを含まない、手段と、
前記ダウンリンクDPCHが、前記第2の圧縮間隔の間、圧縮モード送信ギャップを含むことを決定するための手段と、
第2の圧縮間隔の全てのスロットの間、前記圧縮モード送信ギャップの間のスロットを除く前記第1の圧縮間隔の間と同じスロットフォーマットおよび同じ拡散率を有する前記ダウンリンクDPCHを送信するための手段であって、前記ダウンリンクDPCHは前記スロットの全てにマップされ、前記送信ギャップの間のスロットが、送信されないことまたは低減した電力またはゼロ電力で送信されることでパンクチャされる、手段と、
を含む装置。
【請求項１４】
ワイヤレス通信において圧縮モード送信ギャップを提供する方法であって、
第1の圧縮間隔の間、あるスロットフォーマットおよびある拡散率を有するダウンリンク専用物理チャネル(DPCH)を送信するステップであって、前記ダウンリンクDPCHが、前記第1の圧縮間隔の間、圧縮モード送信ギャップを含まない、ステップと、
前記ダウンリンクDPCHが、前記第2の圧縮間隔の間、圧縮モード送信ギャップを含むことを決定するステップと、
第2の圧縮間隔の全てのスロットの間、前記圧縮モード送信ギャップの間のスロットを除く前記第1の圧縮間隔の間と同じスロットフォーマットおよび同じ拡散率を有する前記ダウンリンクDPCHを送信するステップであって、前記ダウンリンクDPCHは前記スロットの全てにマップされ、前記送信ギャップの間のスロットが、送信されないことまたは低減した電力またはゼロ電力で送信されることでパンクチャされる、ステップと、
を含む方法。
【請求項１５】
コンピュータ実行可能コードを記憶しているコンピュータ可読記憶媒体であって、
第1の圧縮間隔の間、あるスロットフォーマットおよびある拡散率を有するダウンリンク専用物理チャネル(DPCH)を送信するためのコードであって、前記ダウンリンクDPCHが、前記第1の圧縮間隔の間、圧縮モード送信ギャップを含まない、コードと、
前記ダウンリンクDPCHが、前記第2の圧縮間隔の間、圧縮モード送信ギャップを含むことを決定するためのコードと、
第2の圧縮間隔の全てのスロットの間、前記圧縮モード送信ギャップの間のスロットを除く前記第1の圧縮間隔の間と同じスロットフォーマットおよび同じ拡散率を有する前記ダウンリンクDPCHを送信するためのコードであって、前記ダウンリンクDPCHは前記スロットの全てにマップされ、前記送信ギャップの間のスロットが、送信されないことまたは低減した電力またはゼロ電力で送信されることでパンクチャされる、コードと、
を含むコンピュータ可読記憶媒体。